(57)【要約】【課題】新規に施工する場合にあっては使用ペア線数を減らすことができ、しかもリニューアルする場合には既存のペア線をそのまま利用できる集合住宅用監視・通話システムを提供することにある。【解決手段】ロビーインターホン装置３は送受信回路１０から住宅情報盤１へデジタル映像信号及びデジタル音声信号をペア線Ｌ１を介して周波数多重によって伝送し、また住宅情報盤１からペア線Ｌ１を介して周波数多重によって送られてくるデジタル音声信号を送受信回路１０で受信する。また端末部２０によりペア線Ｌ２を通じて送られてくる時分割多重の伝送信号を受信して、その伝送信号に含まれる制御データを取り込み、また返信期間において操作部１８の操作データ等を監視データとして返信するようになっている。【選択図】図１
2005260359.tif 000002
【特許請求の範囲】
【請求項１】
少なくともロビーインターホン装置と、住戸に設けられる住宅用インターホン装置との間のインターホン通話時の音声信号と、前記ロビーインターホン装置の来訪者撮影用撮影カメラで撮像され、前記住宅用インターホン装置のモニタ装置で映し出される映像の映像信号とをそれぞれデジタル信号に変換して第１のペア線上に伝送するとともに、呼び出し制御を含む監視制御用の信号を第２のペア線を介して前記ロビーインターホン装置と前記住宅用インターホン装置との間を伝送させることを特徴とする集合住宅用監視・通話システム。
【請求項２】
前記第１のペア線上を介して上記デジタル信号とともに、インターホン通話時の音声をアナログ音声信号で送受信する手段をロビーインターホン装置に付加しているいることをことを特徴とする請求項１記載の集合住宅用監視・通話システム。
【請求項３】
前記住宅用インターホン装置には、複数のロビーインターホン装置からの前記第１のペア線を、前記ロビーインターホン装置からの呼び出しに応じて切り替え接続する手段を備えていることを特徴とする請求項１又は２記載の集合住宅用監視・通話システム。
【請求項４】
ロビーインターホン装置側に設けられ、送信するデジタル音声信号をデジタル変調する手段と、来訪者撮影用カメラの映像信号をデジタル変調する手段を一つの変調手段で構成し、住宅用インターホン装置側に設けられ、受信されたデジタル音声信号を復調する手段と、デジタル映像信号を復調する手段とを一つの復調手段で構成していることを特徴とする請求項１乃至３の何れか記載の集合住宅用監視・通話システム。
【発明の詳細な説明】
【技術分野】
【０００１】
本発明は集合住宅用監視・通話システムに関するものである。
【背景技術】
【０００２】
従来、集合住宅にはロビーインターホン装置の撮影カメラで写した来訪者の映像を住戸内の住宅情報盤や管理人室の警報監視盤に設けたモニタ装置でモニタしながら来訪者と居住者或いは管理人と通話ができる住宅用監視・通話システムが提供されている（例えば特許文献１）。
【特許文献１】特開平５−８９３９１号公報（図１参照）
【発明の開示】
【発明が解決しようとする課題】
【０００３】
ところで、上記の従来例のシステムでは映像系信号線と、通話系信号線と、映像系信号線や通話系信号線の接続を制御するための制御系の信号線とを各別に配線する構成であるため、通常３ペア線が用いられている。
【０００４】
このため、新規にシステムを施工する場合、配線数が多く施工コストが高くなり、また仮に複数のロビーインターホン装置を設置する場合には、更に通話用の１ペア、映像用の1ペアからなる２ペア線を配線しなければならずコスト高であった。
【０００５】
一方、既存のシステムをリニューアルする場合には、既設の配線がそのまま利用できることが要求されているため、両者を満足するシステムの提供が希求されていた。
【０００６】
また集合住宅でアナログの音声信号を伝送する場合、伝送路が長くなると商用電源周波の誘導ノイズの影響を考慮しなければならず、そのため電源部には大型な絶縁型トランスを用いる必要があった。
【０００７】
本発明は、上述の点に鑑みて為されたもので、その目的とするところは、新規に施工する場合にあっては使用ペア線数を減らすことができ、しかもリニューアルする場合には既存のペア線をそのまま利用できる集合住宅用監視・通話システムを提供することにある。
【課題を解決するための手段】
【０００８】
請求項１の発明では、少なくともロビーインターホン装置と、住戸に設けられる住宅用インターホン装置との間のインターホン通話時の音声信号と、前記ロビーインターホン装置の来訪者撮影用撮影カメラで撮像され、前記住宅用インターホン装置のモニタ装置で映し出される映像の映像信号とをそれぞれデジタル信号に変換して第１のペア線上に伝送するとともに、呼び出し制御を含む監視制御用の信号を第２のペア線を介して前記ロビーインターホン装置と前記住宅用インターホン装置との間を伝送させることを特徴とする。
【０００９】
請求項１の発明によれば、映像信号及び音声信号を第１のペア線上に伝送し、監視制御用の信号を第２のペア線を介して伝送するため、それぞれの信号を狭帯域で送信することができ、そのため第１のペア線及び第２のペア線として従来のインターホン系に用いていたペア線を用いることができ、そのため新規施工時にあっては配線費用が安価となり、また既設のシステムをリニューアルする際にはそれまで使用されていた３ペア線の内の２ペアをそのまま流用でき、リニューアル費用も安価となり、しかも映像信号をデジタル信号により送信するため各住宅用インターホン装置と第１のペア線との接続を分岐器なしで接続することができる。
【００１０】
請求項２の発明では、請求項１の発明において、前記第１のペア線上を介して上記デジタル信号とともに、インターホン通話時の音声をアナログ音声信号で送受信する手段をロビーインターホン装置に付加していることを特徴とする。
【００１１】
請求項２の発明によれば、前記第１のペア線上にアナログ音声信号による通話チャンネルを確保することができ、従来のアナログ音声信号による通話方式と互換性を確保することができる。
【００１２】
請求項３の発明では、請求項１又は２の発明において、前記住宅用インターホン装置には、複数のロビーインターホン装置からの前記第１のペア線を、前記ロビーインターホン装置からの呼び出しに応じて切り替え接続する手段を備えていることを特徴とする。
【００１３】
請求項３の発明によれば、デジタル音声信号及びデジタル映像信号の物理的な伝送路を２チャンネル分確保することができるため、複数台のロビーインターホン装置を設けた集合住宅に対応させることができる。
【００１４】
請求項４の発明では、請求項１乃至３の何れかの発明において、ロビーインターホン装置側に設けられ、送信するデジタル音声信号をデジタル変調する手段と、来訪者撮影用カメラの映像信号をデジタル変調する手段を一つの変調手段で構成し、住宅用インターホン装置側に設けられ、受信されたデジタル音声信号を復調する手段と、デジタル映像信号を復調する手段とを一つの復調手段で構成していることを特徴とする。
【００１５】
請求項４の発明によれば、ロビーインターホン装置や住宅用インターホン装置の構成が簡略化できる。
【発明の効果】
【００１６】
本発明は、映像信号及び音声信号を第１のペア線上に伝送し、監視制御用の信号を第２のペア線を介して伝送するため、それぞれの信号を狭帯域で送信することができ、そのため第１のペア線及び第２のペア線として従来のインターホン系に用いていたペア線を用いることができ、そのため新規施工時にあっては配線費用が安価となり、また既設のシステムをリニューアルする際にはそれまで使用されていた３ペア線の内の２ペアをそのまま流用でき、リニューアル費用も安価となり、しかも映像信号をデジタル信号により送信するため各住宅用インターホン装置と第１のペア線との接続を分岐器なしで接続することができるという効果がある。
【発明を実施するための最良の形態】
【００１７】
以下本発明を実施形態により説明する。
（実施形態１）
図２は本実施形態の集合住宅の通話・監視システムの構成を示しており、この本実施形態は、システムの端末として各住戸に設けられる住宅用インターホン装置の機能を備えている住宅情報盤１と、共用設備として、管理人室に設けられる警報監視盤２と、共用部であるロービーに設けられるロビーインターホン装置３とが設置され、これら端末は集合住宅内に伝送路を構成する２ペア線４に接続されており、この２ペア線４の一方のペア線がデジタル映像信号及びデジタル音声信号の伝送路を、他方のペア線が制御のデータの伝送路を構成する。
【００１８】
ロビーインターホン装置３は図１（ａ）に示すように、映像・音声系の回路要素として、来訪者撮影用の撮影カメラ５と、インターホン用の送話手段たるマイク６及び受話手段たるスピーカ７と、アナログ音声信号の増幅用のアンプ８，９と、ペア線Ｌ１に接続され、後述するデジタル音声信号及びデジタル映像信号を送信し、また住宅情報盤１や警報監視盤２から送られてくるデジタル音声信号を受信する送受信回路１０と、撮影カメラ５からの映像信号を適宜な方式でデジタル変調する映像デジタル変調回路１１と、前記マイク６からアンプ８を介して入力するアナログ音声信号をデジタル音声信号として出力するとともに、受信されて復調されたデジタル音声信号をアナログ音声信号に変換してアンプ９へ出力するコーデック機能を備えた音声処理回路１２と、該音声処理回路１２から出力されるデジタル音声信号を適宜な変調方式でデジタル変調して出力するとともに、受信されたデジタル音声信号を取り込んで復調する音声デジタル変復調回路１３と、該音声デジタル変復調回路１３で変調された音声デジタル信号と映像デジタル変調回路１１で変調されたデジタル映像信号とをそれぞれに割り当てた周波数帯域にて周波数多重化して送受信回路１０からペア線Ｌ１上へ送信させるとともに、送受信回路１０により受信されるデジタル音声信号を分離して音声デジタル変復調回路１３へ出力する多重分離回路１４とを音声・映像系の回路要素として備えている。
【００１９】
またペア線Ｌ２に接続され後述する警報監視盤２（図３参照）内に備えた伝送ユニット１５からの伝送信号を受信するとともに伝送信号に設定された返信用のタイムスロット（以下返信期間という）で監視データを伝送ユニット１５へ送信する伝送信号送受信回路１６と、伝送信号送受信回路１６で受信された伝送信号に含まれるアドレスデータが示すアドレスと予め設定されている固有のアドレスとが一致したときに伝送信号に含まれる制御データを取り込んで上記回路要素の制御や具備する表示部１７の駆動制御を行うとともに、具備する操作部１８の操作データを伝送信号の返信期間で監視データとして返信させる信号処理を行い、また操作部１８の操作データに対応して上記回路要素の制御を行う信号処理部１９とからなる端末部２０を備えている。
【００２０】
更にまた音声・映像系の回路要素や端末部２０の回路要素の動作電源部として、商用電源ＡＣ１００Ｖから所定の直流電圧に変換するスイッチング電源からなる電源部２１を備えている。
【００２１】
一方住宅情報盤１は図１（ｂ）に示すように、インターホン用の送話手段たるマイク２２及び受話手段たるスピーカ２３と、アナログ音声信号の増幅用のアンプ２４，２５と、ペア線Ｌ１に接続され、後述するデジタル音声信号を送信し、またロビーインターホン装置３や警報監視盤２から送られてくるデジタル音声信号を受信する送受信回路２６と、マイク２２からアンプ２４を介して入力するアナログ音声信号をロビーインターホン装置３とデジタル音声信号として出力するとともに、受信さた後復調されたデジタル音声信号を取り込んでアナログ音声信号に変換し、このアナログ音声信号をアンプ２５へ出力するコーデック機能及びインターホン用の呼び出し音用の音声信号を生成してアンプ２５へ出力する音声合成機能を備えた音声処理回路２７と、該音声処理回路２７から出力されるデジタル音声信号をロビーインターホン装置３と同じ変調方式によりデジタル変調して出力するとともに、受信されたデジタル音声信号を取り込んで復調する音声デジタル変復調回路２８と、該音声デジタル変復調回路２８で変調されたデジタル音声信号を上り用として割り当てた周波数帯域にて、上述のロビーインターホン装置３から送信されるデジタル映像信号やデジタル音声信号に対して多重化し送受信回路２６から送信させるとともに、送受信回路２６により受信されたデジタル映像信号を分離する多重分離回路２９と、多重分離回路２９で分離されたデジタル映像信号から映像信号に復調する映像デジタル復調回路３０と、復調された映像信号を入力して映像を映し出すモニタ装置３１とを音声・映像系の回路要素として備えている。
【００２２】
またロビーインターホン装置３と同様にペア線Ｌ２に接続され後述する警報監視盤２内に備えた伝送ユニット１５からの伝送信号を受信するとともに伝送信号に設定された返信期間で監視データを伝送ユニット１５へ送信する伝送信号送受信回路３２と、伝送信号送受信回路３２で受信された伝送信号に含まれるアドレスデータが示すアドレスと、予め設定されている固有のアドレスとが一致したときに伝送信号に含まれる制御データを取り込んで上記回路要素の制御や具備する表示部３３の駆動制御を行うとともに、具備する操作部３４の操作データを監視データとして伝送信号の返信期間で返信させる信号処理を行い、また操作部３４の操作データに対応した上記回路要素の制御を行う信号処理部３５とからなる端末部３６を備えている。
【００２３】
更にまた音声・映像系の回路要素や端末部３６の回路要素の動作電源部として、商用電源ＡＣ１００Ｖから所定の直流電圧に変換するスイッチング電源からなる電源部３７を備えている。
【００２４】
尚住宅情報盤１の端末部３６には火災感知器などの防災センサの検知出力を取り込んで監視データとして警報監視盤２に伝送信号の返信期間で返信させる機能が備わっているが、この防災監視系の構成の図示及び詳細な説明は省略する。
【００２５】
一方警報監視盤２は図３に示すように基本的には音声・映像系の回路要素は住宅情報盤１と同じ構成であるので、同じ回路構成の要素には同じ符号を付して省略する。ただ警報監視盤２は、上記の各端末部２０，３４の監視制御を時分割多重の伝送信号によって行うための伝送ユニット１５を備えている。
【００２６】
この伝送ユニット１５は各端末部２０，３４にアクセスするためにそれぞれのアドレスデータと、端末部２０，３６に対してアクセスしたときに伝送信号の返信期間において端末部２０，３６から返信信号として送られくる監視データの要求に基づいて、制御対象となる端末部を判断してその端末部をアクセスする時に渡す制御データを生成する機能とを備えている信号処理部３８と、伝送信号を複極のベースバンド信号として送信するとともに、この伝送信号中、長パルスにより構成される返信期間において、アクセスされている端末部２０，３６の伝送信号送受信回路１６，３２内でペア線Ｌ２間を所定のインピーダンス素子を介してオンオフされることで電流信号として返信されてくる返信信号を受信する伝送信号送受信回路３９とからなる。
【００２７】
而して本実施形態では、通常時においては、来訪者がロービーインターホン装置３の操作部１８を用いて訪問先の住戸番号を入力して呼び出し操作を行うと、端末部２０の信号処理部１９はこの操作信号を取り込み、伝送信号によりアクセスされたときに操作信号から得た操作データを監視データとして伝送ユニット１５へ返信する。
【００２８】
同時に端末部２０の信号処理部１９は撮影カメラ５を起動させ、撮影した来訪者を捉えた映像信号を映像デジタル変調回路１１に出力させる。
【００２９】
映像デジタル変調回路１１は映像信号をデジタル変調し、この変調されたデジタル映像信号を多重分離回路１４が図４（ａ）に示す周波数帯域Ｃに配置して周波数多重化を図った上で、送受信回路１０からペア線Ｌ１上に送信させる。
【００３０】
一方ロビーインターホン装置３からの返信信号を受け取った伝送ユニット１５は、監視データから呼び出し先を判断し、呼び出し先である住宅情報盤１の端末部３６をアクセスする伝送信号で呼び出し制御のための制御データを送る。
【００３１】
伝送ユニット１５の伝送信号でアクセスされた住宅情報盤１（警報監視盤２）の端末部３６の信号処理部３５は、制御データに基づいて音声処理回路２７を制御して呼び出し用の音声信号をアンプ２５を介してスピーカ２３に出力させ、スピーカ２３から呼び出し音を発鳴させる。また信号処理部３５はモニタ装置３１を起動させる。
【００３２】
一方ペア線Ｌ１を介して当該住宅情報盤１により、送受信回路２６で受信されたデジタル映像信号は、多重分離回路２９で分離された後、映像デジタル復調回路３０により映像信号に復調され、起動したモニタ装置３１で再生される。この再生画面に映し出される来訪者を確認した当該住戸の住人は、操作部３４の通話釦３４ａを押し下げる。この押し下げに対応して信号処理部３５は音声処理回路２７を起動させてマイクロ２２，スピーカ２３を用いた送受話を可能とすると同時に、通話中であることを表示部３３で表示させ、また押し下げ操作があったことを示す監視データを伝送信号の返信期間で伝送ユニット１５へ返信する。
【００３３】
伝送ユニット１５はこの監視データを受信すると、ロビーインターホン装置３に対して次のアクセス時に通話状態を表示させるための制御データを送る。ロビーインターホン装置３の端末部２０の信号処理部１９は受信した制御データに基づいて表示部１７で通話状態に入ったことを表示する。
【００３４】
さて通話状態に入ると、ロビーインターホン装置３側の来訪者の通話音声は、マイク６からアナログ音声信号として出力され、アンプ８を介して音声処理回路１２に入力する。音声処理回路１２ではこのアナログ音声信号をデジタル音声信号に変換後、音声デジタル変復調回路１３へ出力する。デジタル変復調回路１３はデジタル音声信号をデジタル変調した後、多重分離回路１４に出力する。多重分離回路１４はデジタル音声信号を図４（ａ）の下り用の周波数帯域Ａに配置して多重化を図った上で、送受信回路１０からペア線Ｌ１上に送信させる。
【００３５】
この呼び出し側から送信されるデジタル音声信号が下りデジタル音声信号となる。そして下りデジタル音声信号はデジタル映像信号とともに住宅情報盤１の送受信回路２６で受信された後、多重分離回路２９で分離され、更に音声デジタル変復調回路２８で復調された後、音声処理回路２７でアナログ音声信号に変換される。このアナログ音声信号がアンプ２５を通じてスピーカ２３に入力して再生されることになる。
【００３６】
一方住宅情報盤１側の住人の通話音声は、マイク２２からアナログ音声信号として出力され、アンプ２４を介して音声処理回路２７に入力する。音声処理回路２７ではこのアナログ音声信号をデジタル音声信号に変換後、音声デジタル変復調回路２８へ出力する。デジタル変復調回路２８はデジタル音声信号をデジタル変調した後、多重分離回路２９にて図４（ａ）に示す上り用の周波数帯域Ｂに配置して多重化を図った上で、送受信回路２６からペア線Ｌ１上に送信させる。
【００３７】
そしてロビーインターホン装置３の送受信回路１０で受信された後、多重分離回路１４で分離され、更に音声デジタル変復調回路８で復調された後、音声処理回路１２でアナログ音声信号に変換される。このアナログ音声信号がアンプ９を通じてスピーカ７に入力して再生されることになる。
【００３８】
以上のようにしてロビーインターホン装置３と被呼び出し側の住宅情報盤１との間で双方向の通話路が確立されることになる。
【００３９】
次に住人が操作部３４の通話釦３４ａを押し下げて通話終了操作を行うと、端末部３６の信号処理部３５はモニタ装置３１の動作と、音声処理回路２７の動作とを停止させるとともに表示部３３による通話状態表示を消灯させる。また伝送ユニット１５によりアクセスされたときに伝送信号の返信期間において通話停止を示す監視データを返信する。
【００４０】
伝送ユニット１５は通話停止を示す監視データが返信されてくると、ロビーインターホン装置３をアクセスする伝送信号で通話停止に対応する制御データを端末部２０へ送る。端末部２０はこの制御データを受け取ると、撮影カメラ５の動作及び音声処理回路１２の動作を停止させ、また表示部１７による通話状態表示を消灯させる。
【００４１】
このようにしてロビーインターホン装置３と住宅情報盤１との通話路が開放されて待機状態に戻ることになる。
【００４２】
尚図４（ｂ）は伝送信号の周波数帯域を示す。
【００４３】
ところで上記の動作説明では、ロビーインターホン装置３と住宅情報盤との間の通話について説明したが、警報監視盤２から住宅情報盤１を呼び出して通話する場合、伝送ユニット１５の信号処理部３５が操作部３４の操作データを受けとって、呼び出しのための制御データを住宅情報盤１へ伝送信号により送るようになっている。また警報監視盤２から送信されるデジタル音声信号の周波数帯域はロビーインターホン装置３からのデジタル音声信号を送信させる場合と同じ周波数帯域Ａが設定される。
【００４４】
以上のように構成した本実施形態では、映像信号及び音声信号をデジタル化してペア線Ｌ１上に伝送し、監視制御用の伝送信号をペア線Ｌ２を介して伝送するため、それぞれの信号を狭帯域で送信することができ、そのためペア線Ｌ１及びペア線Ｌ２として従来のインターホン系に用いていたペア線を用いることができ、そのため新規施工時にあっては配線費用が安価となり、また既設のシステムをリニューアルする際にはそれまで使用されていた３ペア線の内の２ペアをそのまま流用でき、リニューアル費用も安価となる。また音声信号をデジタル化するため、誘導ノイズの影響を考慮する必要がなくなり、電源部２１として商用電源ＡＣ１００Ｖから所定の直流電圧に変換する小型なスイッチング電源を用いることができる。
【００４５】
（実施形態２）
上記実施形態１のロビーインターホン装置３ではデジタル音声信号とデジタル映像信号を別個の変調回路（音声デジタル信号変復調回路１３、映像デジタル変調回路１１）で変調し、また住宅情報盤１、警報監視盤２では受信したデジタル音声信号、デジタル映像信号をそれぞれ別個の復調回路（音声デジタル信号変復調回路２８、映像デジタル復調回路３０）で復調していたが、本実施形態では、図５（ａ）に示すようにロビーインターホン装置３では、音声処理回路１２から出力される圧縮音声信号と撮影カメラ５からの映像信号を多重回路４０により多重化した上で、音声映像デジタル変調回路４１によりデジタル変調し、図６に示すように所定周波数帯域Ｄに配置する。また多重分離回路１３でペア線Ｌ１上のデジタル音声信号の周波数帯域Ｂ’に対して周波数多重化を図って送受信回路１０からペア線Ｌ１上に送信させる。一方受信されるデジタル音声信号を多重分離回路１４で分離した上で、音声デジタル復調回路４２にて復調するようになっている。また住宅情報盤１では、図５（ｂ）に示すように送受信回路２６で受信したデジタル映像信号及びデジタル音声信号を多重分離回路２９で分離した上で、音声映像デジタル復調回路４３により両信号を復調する。復調された音声信号は分離回路４４で、復調された映像信号から分離された後、音声処理回路２７に取り込まれる。一方住宅情報盤１から送信されるデジタル音声信号は、音声処理回路２７から出力されるデジタル音声信号が音声デジタル変調回路４５で変調された後、多重分離回路２９を介して送受信回路２６からペア線Ｌ１上に送信される。
【００４６】
尚システム構成は実施形態１と同じであり、また警報監視盤２の構成も住宅情報盤１と同じ構成となるため、図示及び説明は省略する。また伝送信号の周波数帯域は同じであるので図示は省略する。
【００４７】
このように本実施形態では、ロビーインターホン装置３において映像信号及びアナログ音声信号を同じ変調回路でデジタル変調し、また住宅情報盤１及び警報監視盤２では受信したデジタル音声信号及び映像信号の復調を同じ復調回路で復調するようになっており、映像と音声の変調或いは復調を同じ変調回路或いは復調回路で行うことで、音声の変復調を一つの回路で行う場合に比べてコストの低減を図っている。
【００４８】
（実施形態３）
本実施形態は図７（ａ），（ｂ）に示すようにロビーインターホン装置３及び住宅情報盤１にそれぞれ２組の送受信回路１０ａ，１０ｂ及び２６ａ，２６ｂを設けて、一方の接続端をペア線Ｌ１に、他方の接続端をペア線Ｌ３に接続し、また多重分離回路２９に対して切り替えスイッチ５１，５０により切り替え接続されるようになっている。つまり、切り替えスイッチ５１，５０によって伝送路としても用いる第１のペア線としてＬ１，Ｌ３の何れか一方に設定されるようなっている。尚警報監視盤２も住宅情報盤１と同様な構成を持たせるの勿論である。またロビーインターホン装置３は実施形態１のものをそのまま使用する。集合住宅内の配線はペア線Ｌ１〜Ｌ３からなる３ペア線４’を用いて行う。
【００４９】
而して本実施形態では  例えば図８に示すように２つのロビーインターホン装置３が設置される場合、何れかのロビーインターホン装置３から住宅情報盤１に対する呼び出しがあった場合、当該ロビーインターホン装置３の端末部２０から接続してあるペア線（Ｌ１又はＬ３）のデータを操作データとともに伝送ユニット１５へ返信信号として送り、伝送ユニット１５ではこのデータを受け取ると、被呼び出し側の住宅情報盤１の端末部３６に対して他のロビーインターホン装置３が使用していないペア線Ｌ１又はＬ３を選択するように切り替えスイッチ５０を制御する制御データを送り、また当該ロビーインターホン装置３の端末部２０に対しても切り替えスイッチ５１を対応するペア線Ｌ１又はＬ３に切り替えるように制御データを送るようになっている。
【００５０】
つまり、２台のロビーインターホン装置３が設置されている場合に、被呼び出し側の住宅情報盤１と呼び出し側のロビーインターホン装置３とは空いているペア線（Ｌ１又はＬ３）に自動的に接続され、当該ロビーインターホン装置３と住宅情報盤１との間で通話ができるとともに、当該ロビーインターホン装置３の撮影カメラ５が撮影した来訪者の様子をモニタ装置３１でモニタすることができることになる。
【００５１】
ところで、ロビーインターホン装置３を３台以上設置する場合においても、３ペア線４’を配線して、各ロビーインターン装置３の送受信回路１０ａ、１０ｂをペア線Ｌ１又はＬ３に切り替え接続することで、２台のロビーインターン装置３の同時使用が可能となる。
【００５２】
尚周波数多重のための周波数帯域配置構成はペア線Ｌ１，Ｌ３の何れを使用しても実施形態１と同じであるので、図示しない。また伝送信号の周波数帯域の配置も同じであるので図示しない。  ところで本実施形態の構成を実施形態２の構成に加えても良い。この場合ロビーインターン装置３、住宅情報盤１の構成は図９（ａ），（ｂ）に示すようになる。勿論警報監視盤２の構成もこの住宅情報盤１と同様な構成を持つことになる。またロビーインターホン装置３は実施形態２のものをそのまま使用する。
【００５３】
（実施形態４）
本発明はデジタル音声信号を用いることを前提とするが、リニューアルの場合、既存のアナログ音声を用いる住宅用のインターホン装置を使用したいという施主からの要望に対応させたのが本実施形態である。
【００５４】
つまり、本実施形態では図１０に示すように実施形態１の構成と基本的に同じ構成のロビーインターホン装置３において次のようなアナログ音声系の構成を加えた点に特徴がある。
【００５５】
つまり送受信回路１０とペア線Ｌ１との間に挿入され、図１１に示すように３００乃至３．４ＫＨｚ程度の周波数帯域Ｅで送られてくる上りのアナログ音声信号をペア線Ｌ１から分離するとともにペア線Ｌ１に下りのアナログ音声信号を、上下のデジタル音声信号及びデジタル映像信号に対して多重化を図って送出させる多重分離回路６１と、この多重分離回路６１で分離されたアナログ音声信号と、ペア線Ｌ１上へ送出させる送信用のアナログ音声信号とを２線の信号路を介して入出力するアナログ音声送受信回路６２と、マイク６から入力される通話音声をアンプ８を介して取り込んでアナログ音声送受信回路６２へ２線の信号路を介して送るとともに、この信号路を介してアナログ音声送受信回路６２で受信したアナログ音声信号を取り込み、アンプ９を介してスピーカ７へ出力する２線−４線変換回路６３とを実施形態１の構成に付加してある。一方住宅情報盤（及び警報監視盤２）は実施形態１のものをそのまま使用する。
【００５６】
而して既存のアナログ音声対応のインターホン装置１’を図１２に示しように混在させる場合には、ロビーインターホン装置３側から当該インターホン装置１’を呼び出す際に、端末部２０の信号処理部１９の制御の下でアナログ音声系の回路要素を動作させることでロビーインターホン装置３とインターホン装置１’との通話が可能となる。
【００５７】
またインターホン装置１’と警報監視盤２との間で通話を行う場合には警報監視盤２に同様なのアナログ音声系の回路要素を付加すれば良い。
【００５８】
尚本実施形態の構成を図１３に示すように実施形態２の構成に加えれば、実施形態２の利点も得られる。この場合の周波数多重のための周波数帯域配置構成は図１４に示すようになる。
【００５９】
更に、本実施形態の構成を実施形態３の構成に加えれば、インターホンの物理的な通話路を２チャンネルとし、チャンネル毎にアナログ音声系を付加することで、インターホンのための通話チャンネルを４チャンネルとすることができる上に、実施形態３の利点も得られる。この場合のペア線Ｌ１での周波数多重のための周波数帯域配置構成は図１５（ａ）に示すようになり、ペア線Ｌ３での周波数多重のための周波数帯域配置構成は図１５（ｂ）に示すようになる。
【００６０】
更に本実施形態に実施形態３の構成と実施形態２の構成を組み合わせると、インターホンのための通話チャンネルを４チャンネルとすることができる上に、実施形態３の利点と実施形態２の利点も得られることになる。この場合のペア線Ｌ１での周波数多重のための周波数帯域配置構成は図１６（ａ）に示すようになり、ペア線Ｌ３での周波数多重のための周波数帯域配置構成は図１６（ｂ）に示すようになる。
【図面の簡単な説明】
【００６１】
【図１】（ａ）実施形態１に用いるロビーインターホン装置の構成図、（ｂ）は同上に用いる住宅情報盤の構成図である。
【図２】同上のシステム構成図である。
【図３】同上に用いる警報監視盤の構成図である。
【図４】（ａ）は同上におけるデジタル音声信号及びデジタル映像信号の周波数帯域の配置説明図、（ｂ）は同上における伝送信号の周波数帯域の配置説明図である。
【図５】（ａ）は実施形態２に用いるロビーインターホン装置の構成図、（ｂ）は同上に用いる住宅情報盤の構成図である。
【図６】同上におけるデジタル音声信号及びデジタル映像信号の周波数帯域の配置説明図である。
【図７】（ａ）は実施形態３に用いるロビーインターホン装置の構成図、（ｂ）は同上に用いる住宅情報盤の構成図である。
【図８】同上のシステム構成図である。
【図９】（ａ）は同上の別の例のロビーインターホン装置の構成図、（ｂ）は同上の別の例の住宅情報盤の構成図である。
【図１０】実施形態４のロビーインターホン装置の構成図である。
【図１１】同上におけるデジタル音声信号及びデジタル映像信号の周波数帯域の配置説明図である。
【図１２】同上のシステム構成図である。
【図１３】同上の別の例のロビーインターホン装置の構成図である。
【図１４】同上の別の例におけるデジタル音声信号及びデジタル映像信号の周波数帯域の配置説明図である。
【図１５】（ａ）は同上の他の例における一方のペア線のデジタル音声信号及びデジタル映像信号の周波数帯域の配置説明図、（ｂ）は同上における他の例の一方のペア線のデジタル音声信号及びデジタル映像信号の周波数帯域の配置説明図である。
【図１６】（ａ）は同上におけるその他の例の一方のペア線のデジタル音声信号及びデジタル映像信号の周波数帯域の配置説明図、（ｂ）は同上におけるその他の例の一方のペア線のデジタル音声信号及びデジタル映像信号の周波数帯域の配置説明図である。
【符号の説明】
【００６２】
１  住宅情報盤
３  ロビーインターホン装置
４  ２ペア線
５  撮影カメラ
６，２２  マイク
７，２３  スピーカ
８，９，２４，２５  アンプ
１０，２６  送受信回路
１１  映像デジタル変調回路
１２，２７  音声処理回路
１３，２８  音声デジタル変復調回路
１４，２９  多重分離回路
１６，３２  伝送信号送受信回路
１７，３３  表示部
１８，３４  操作部
１９、３５  信号処理部
２０，３６  端末部
２１，３７  電源部
３０  映像デジタル復調回路
３１  モニタ装置
Ｌ１，Ｌ２  ペア線
【図１】
2005260359.tif 000003
【図２】
2005260359.tif 000004
【図３】
2005260359.tif 000005
【図４】
2005260359.tif 000006
【図５】
2005260359.tif 000007
【図６】
2005260359.tif 000008
【図７】
2005260359.tif 000009
【図８】
2005260359.tif 000010
【図９】
2005260359.tif 000011
【図１０】
2005260359.tif 000012
【図１１】
2005260359.tif 000013
【図１２】
2005260359.tif 000014
【図１３】
2005260359.tif 000015
【図１４】
2005260359.tif 000016
【図１５】
2005260359.tif 000017
【図１６】
2005260359.tif 000018